(57)【要約】      （修正有）【課題】簡単に開封することが可能な、インフレーションフィルムで構成される袋を提供する。【解決手段】本体部１０は、インフレーションフィルムで構成される。第一の側端部１１は、本体部１０の背面から続く一方（例えば、左側）の側端部を、第一の外側折り目１１ａで内側に折り曲げ、第一の内側折り目１１ｂで外側に折り曲げ、第一の外側折り目１１ａよりも第一の長さＬ１だけ内側に位置する第二の外側折り目１１ｃで内側に折り曲げて、本体部１０の正面に接続されている。第二の側端部１２は、本体部１０の背面から続く他方（例えば、右側）の側端部を、第三の外側折り目１２ａで内側に折り曲げ、第二の内側折り目１２ｂで外側に折り曲げ、第三の外側折り目１２ａよりも第二の長さＬ２だけ外側に位置する第四の外側折り目１２ｃで内側に折り曲げて、本体部１０の正面に接続されている。下側溶着部１３は、本体部１０の下端部の近傍を左右方向に沿って溶着する。【選択図】図１
0003231754.tif 000002
【実用新案登録請求の範囲】
【請求項１】
インフレーションフィルムで構成される本体部と、
前記本体部の背面から続く一方の側端部を、第一の外側折り目で内側に折り曲げ、第一の内側折り目で外側に折り曲げ、前記第一の外側折り目よりも第一の長さだけ内側に位置する第二の外側折り目で内側に折り曲げて、前記本体部の正面に接続された第一の側端部と、
前記本体部の背面から続く他方の側端部を、第三の外側折り目で内側に折り曲げ、第二の内側折り目で外側に折り曲げ、前記第三の外側折り目よりも第二の長さだけ外側に位置する第四の外側折り目で内側に折り曲げて、前記本体部の正面に接続された第二の側端部と、
前記本体部の下端部の近傍を左右方向に沿って溶着することで形成された下側溶着部と、
を備える袋。
【請求項２】
インフレーションフィルムで構成される本体部と、
前記本体部の背面から続く一方の側端部を、第一の外側折り目で内側に折り曲げ、第一の内側折り目で外側に折り曲げ、前記第一の外側折り目よりも第一の長さだけ内側に位置する第二の外側折り目で内側に折り曲げて、前記本体部の正面に接続された第一の側端部と、
前記本体部の背面から続く他方の側端部を、第三の外側折り目で内側に折り曲げ、第二の内側折り目で外側に折り曲げ、前記第三の外側折り目よりも第二の長さだけ外側に位置する第四の外側折り目で内側に折り曲げて、前記本体部の正面に接続された第二の側端部と、
前記本体部の下端部の近傍を左右方向に沿って溶着することで形成された下側溶着部と、
前記本体部の上端部の近傍を左右方向に沿って溶着することで形成された上側溶着部と、前記第一の側端部の第一の内側折り目と前記第二の側端部の第二の内側折り目とを切断するとともに、前記本体部の上端部の中央部をコの字状に切断することで形成された切断部と、で構成される開口部と、
を備える袋。
【考案の詳細な説明】
【技術分野】
【０００１】
本考案は、袋に関する。
【背景技術】
【０００２】
従来より、開封容易な袋の構造に関する技術が存在する。例えば、特開２００７−９１２６５号公報（特許文献１）には、少なくとも表層から易引裂きフィルム層、基材層が順次設けられ、最内層に熱接着性樹脂層が積層された矩形状積層体の対向する端縁を最内層同士が当接するように重ね合わせて熱接着して合掌シール部を有する筒状体となし、少なくとも側端縁に凸状折り部を有するように構成して上下開口端の端縁部を上下端縁熱接着部で熱接着して密封した包装袋が開示されている。この包装袋は、一方の凸状折り部を開封開始端とする開封予定線に沿って基材層に開封用切れ目線が形成されている。これにより、開封用切れ目線に沿って容易に引裂き開封できるとしている。
【０００３】
又、特開２０１４−７６８０８号公報（特許文献２）には、開封可能な背貼り部と、背貼り部の両端側の縁部がそれぞれ貼り合わされた一対の縁シール部と、背貼り部に沿った両側に設けられ、外力によって変形し且つ変形した形状を維持することができる形状維持部と、を有する包装用袋が開示されている。これにより、開口部が広げられた状態を維持することができ、内容物を容易に取り出すことができるとしている。
【０００４】
又、特開２０１７−３９４９５号公報（特許文献３）には、前面フィルムと後面フィルムを有し、対向する前面フィルムと後面フィルムの上下端を横シールした包装袋が開示されている。この包装袋では、前面フィルムの側端は、前面折り部を設けて内方に折り込まれることにより前面折り込み部を形成していて、前面折り部を、包装袋の一方の袋側端部より内側にずらすことにより、ずらし部を形成し、ずらし部より包装袋の内方に指を挿入することにより、開封すると同時に包装袋の内容物を取り出すことができる。これにより、前面折り部と後面フィルムとの間に容易に指を挿入することができ、ずらし部より包装袋内方へ指を挿入することにより、前面折り部と後面フィルムとを前後方向に押し広げて包装袋を開封すると同時に、内容物に指が届いて、そのまま内容物を容易に取り出すことが可能となるとしている。
【０００５】
又、実開平５−１６６４６号公報（特許文献４）には、表面側にコロナ放電処理が施されるとともに、所定の幅となっている方形状の基板フィルムを、裏面側を内側にするとともに、端部をずらして二つ折りにし、この二つ折りにした部分を内方に折り込んで、底面となる折り込み部を形成するとともに、両側端部を溶断シールして形成される包装袋が開示されている。この包装袋は、折り込み部が位置する部位の両側端部に対向してそれぞれ溶着部が形成されている。これにより、折り込み部が位置する部位の両側端部に対向して溶着部が形成されているため、溶断シール部の底面側からその溶断シールが剥がれてもこの溶着部があるため、溶断シールの剥がれはこの溶着部でストップしてこれ以上進行することがなく、包装袋が破損することがないとしている。
【先行技術文献】
【特許文献】
【０００６】
【特許文献１】特開２００７−９１２６５号公報
【特許文献２】特開２０１４−７６８０８号公報
【特許文献３】特開２０１７−３９４９５号公報
【特許文献４】実開平５−１６６４６号公報
【考案の概要】
【考案が解決しようとする課題】
【０００７】
上述の特許文献１−４に記載の技術では、袋の端部に新たな接着部を設けたり、切り目を設けたりすることで、開放容易性を獲得している。そのため、例えば、左右方向に無端状のインフレーションフィルムには、不向きであるという課題がある。
【０００８】
一方、一般的なインフレーションフィルムでの袋では、扁平状のインフレーションフィルムの左右の両側端を折り曲げるとともに、下端を溶着して底部とし、上端にミシン目の切り目を設けて、ロール状に構成している。使用者が、ロール状の本体部の切り目を切断することで一つの袋が分離され、その袋の開口部が形成される。このような構成の袋は、スーパーマーケット等でよく見かけるが、この種の袋では、本体部の厚みが極めて薄く、本体部の切り目を切断して、開口部を開放しようとしても、正面部分と背面部分が密着して、開口部を開放し難いという課題がある。
【０００９】
そこで、本考案は、課題を解決するためになされたものであり、インフレーションフィルムであっても、簡単に開封することが可能な袋を提供することを目的とする。
【課題を解決するための手段】
【００１０】
本考案に係る袋は、本体部と、第一の側端部と、第二の側端部と、下側溶着部と、を備える。本体部は、インフレーションフィルムで構成される。第一の側端部は、前記本体部の背面から続く一方の側端部を、第一の外側折り目で内側に折り曲げ、第一の内側折り目で外側に折り曲げ、前記第一の外側折り目よりも第一の長さだけ内側に位置する第二の外側折り目で内側に折り曲げて、前記本体部の正面に接続される。第二の側端部は、前記本体部の背面から続く他方の側端部を、第三の外側折り目で内側に折り曲げ、第二の内側折り目で外側に折り曲げ、前記第三の外側折り目よりも第二の長さだけ外側に位置する第四の外側折り目で内側に折り曲げて、前記本体部の正面に接続される。下側溶着部は、前記本体部の下端部の近傍を左右方向に沿って溶着することで形成される。
【考案の効果】
【００１１】
本考案によれば、インフレーションフィルムであっても、簡単に開封することが可能となる。
【図面の簡単な説明】
【００１２】
【図１】本考案の第一の実施形態に係る袋の正面図と背面図と平面図と底面図とである。
【図２】本考案の第一の実施形態に係る袋の右側面図と左側面図とＡ−Ａ線断面図とＢ−Ｂ線断面図とＣ−Ｃ線断面図とである。
【図３】本考案の第一の実施形態に係る袋の開封開始状態を示す平面視斜視図である。
【図４】本考案の第一の実施形態に係る袋の開封中状態を示す平面視斜視図である。
【図５】本考案の第一の実施形態に係る袋の開封後状態を示す平面視斜視図である。
【図６】本考案の第一の実施形態に係る袋のロール状の構成を示す正面図である。
【図７】本考案の第一の実施形態に係る袋をロールに構成した場合の斜視図（図７Ａ）と、本考案の第一の実施形態に係る袋をボックスに収納して取り出すように構成した場合の斜視図（図７Ｂ）と、である。
【図８】本考案の第二の実施形態に係る袋の正面図と背面図と平面図と底面図とである。
【図９】本考案の第二の実施形態に係る袋の右側面図と左側面図とＡ−Ａ線断面図とＢ−Ｂ線断面図とＣ−Ｃ線断面図とである。
【図１０】本考案の第二の実施形態に係る袋の開封開始状態を示す平面視斜視図である。
【図１１】本考案の第二の実施形態に係る袋の開封中状態を示す平面視斜視図である。
【図１２】本考案の第二の実施形態に係る袋の開封後状態を示す平面視斜視図である。
【図１３】本考案の第二の実施形態に係る袋の平面視斜視図である。
【図１４】本考案の第二の実施形態に係る袋を、他の袋の両端部と切れ目で接続して構成した場合の斜視図（図１４Ａ）と、本考案の第二の実施形態に係る袋を、ロールから取り外した場合の斜視図（図１４Ｂ）と、である。
【考案を実施するための形態】
【００１３】
以下に、添付図面を参照して、本考案の実施形態について説明し、本考案の理解に供する。尚、以下の実施形態は、本考案を具体化した一例であって、本考案の技術的範囲を限定する性格のものではない。
【００１４】
先ず、第一の実施形態に係る袋を説明する。第一の実施形態に係る袋１は、図１−図２に示すように、本体部１０と、第一の側端部１１と、第二の側端部１２と、下側溶着部１３と、を備える。
【００１５】
本体部１０は、インフレーションフィルムで構成される。第一の側端部１１は、本体部１０の背面から続く一方（例えば、左側）の側端部を、第一の外側折り目１１ａで内側に折り曲げ、第一の内側折り目１１ｂで外側に折り曲げ、第一の外側折り目１１ａよりも第一の長さＬ１だけ内側に位置する第二の外側折り目１１ｃで内側に折り曲げて、本体部１０の正面に接続されている。
【００１６】
第二の側端部１２は、本体部１０の背面から続く他方（例えば、右側）の側端部を、第三の外側折り目１２ａで内側に折り曲げ、第二の内側折り目１２ｂで外側に折り曲げ、第三の外側折り目１２ａよりも第二の長さＬ２だけ外側に位置する第四の外側折り目１２ｃで内側に折り曲げて、本体部１０の正面に接続されている。下側溶着部１３は、本体部１０の下端部の近傍を左右方向に沿って溶着することで形成されている。尚、本体部１０の上端部は、何ら溶着されていないため、開口部となる。
【００１７】
これにより、インフレーションフィルムであっても、簡単に開封することが可能となる。即ち、図３−図５に示すように、第一の側端部１１では、第一の外側折り目１１ａと第二の外側折り目１１ｃとの間に第一の長さＬ１が設けられ、第二の側端部１２では、第一の外側折り目１１ａの対角線上に第四の外側折り目１２ｃが設けられ、更に、第三の外側折り目１２ａと第四の外側折り目１２ｃとの間に第二の長さＬ２が設けられている。そのため、使用者は、第一の外側折り目１１ａと、対角線上の第四の外側折り目１２ｃとを容易につまむことが出来る。
【００１８】
そして、使用者は、第一の側端部１１では、第一の外側折り目１１ａをつまみ、第二の側端部１２では、第四の外側折り目１２ｃをつまみ、それぞれを左右方向に引っ張ることで、袋１が容易に開封し、使用者は容易に袋１の開口部を広げることが出来るのである。
【００１９】
このような構成は、スーパーマーケット等でよく見かけるロール状の袋に好適に使用される。例えば、図６に示すように、インフレーションフィルムで構成される上下方向（ここでは、上方向がインフレーションフィルムの流れ方向とする）に連続した本体部１０に対して、第一の側端部１１と第二の側端部１２とを上下方向に連続して設け、本体部１０の所定の位置にミシン目の切れ目１４を設けることで、切れ目１４を袋１の上端部に対応させ、本体部１０の切れ目１４から所定の長さだけ下方に下がった所定の位置に下側溶着部１３を設けることで、下側溶着部１３を袋１の下端部に対応させる。この切れ目１４と下側溶着部１３とを本体部１０の下方向に沿って交互に設けることで、上下方向に配置された袋１を複数設けることが出来る。
【００２０】
ここで、使用者は、このような本体部１０の最下端部にある切れ目１４又は最上端部にある切れ目１４を切断することで、本体部１０から一つの袋１を切り離し、袋１の開口部を形成することが出来る。そして、使用者は、第一の外側折り目１１ａをつまむとともに、第四の外側折り目１２ｃをつまみ、それぞれを左右方向に引っ張ることで、袋１を開封し、容易に広げることが出来るのである。
【００２１】
袋１を利用する形態として、スーパーマーケット等では、図７Ａに示すように、複数の袋１が切れ目１４を介して連続的に接続され、ロールに構成している。使用者は、最初の袋１を切れ目１４を介して切断して、第一の外側折り目１１ａと第四の外側折り目１２ｃとを引っ張ることで、袋１を簡単に広げることが出来る。
【００２２】
又、袋１を利用する他の形態として、例えば、図７Ｂに示すように、直方体のボックスＢを用意し、そのボックスＢのサイズに対応して袋１を折り畳んだ上で、ボックスＢに収納する。ボックスＢは、例えば、ティッシュボックスのように開口部Ｂ１を有し、使用者は、開口部Ｂ１を介して折り畳まれた袋１を一枚ずつ取り出して利用する。ここで、使用者は、袋１の第一の外側折り目１１ａと第四の外側折り目１２ｃとを引っ張ることで、袋１を簡単に広げることが出来る。
【００２３】
次に、第二の実施形態に係る袋を説明する。第二の実施形態に係る袋１は、図８−図９に示すように、本体部１０と、第一の側端部１１と、第二の側端部１２と、下側溶着部１３と、開口部１５と、を備える。
【００２４】
ここで、本体部１０と、第一の側端部１１と、第二の側端部１２と、下側溶着部１３と、は、第一の実施形態に係る袋１の構成と同様であるため、その説明を省略する。
【００２５】
一方、開口部１５は、本体部１０の上端部の近傍を左右方向に沿って溶着することで形成された上側溶着部１５ａと、第一の側端部１１の第一の内側折り目１１ｂと第二の側端部１２の第二の内側折り目１２ｂとを切断するとともに、本体部１０の上端部の中央部をコの字状に切断することで形成された切断部１５ｂと、で構成されている。
【００２６】
これにより、上述と同様に、インフレーションフィルムであっても、簡単に開封することが可能となる。即ち、図１０−図１３に示すように、使用者は、第一の外側折り目１１ａと、対角線上の第四の外側折り目１２ｃとを容易につまむことが出来る。
【００２７】
次に、使用者は、第一の側端部１１では、第一の外側折り目１１ａをつまみ、第二の側端部１２では、第四の外側折り目１２ｃをつまみ、それぞれを左右方向に引っ張ることで、袋１を開封し、容易に広げることが出来る。
【００２８】
ここで、開口部１５では、上側溶着部１５ａを設け、切断部１５ｂで第一の側端部１１の第一の内側折り目１１ｂと第二の側端部１２の第二の内側折り目１２ｂとを切断しているため、第一の側端部１１の上方と第二の側端部１２の上方とは、それぞれ手を通す程度の挿通孔１５ｃが形成される。つまり、第一の側端部１１の上方と第二の側端部１２の上方とで持ち手が形成される。そのため、使用者は、袋１を開封して、袋１の中に様々な物を入れて、挿通孔１５ｃに手を通すことで、簡単に袋１を持ち運びすることが出来る。その結果、使用者にとって開封容易性と搬送容易性とを兼ね備えた袋１として提供することが可能となる。
【００２９】
袋１を利用する形態として、例えば、図１４Ａに示すように、袋１の第一の側端部１１と第二の側端部１２とを袋１の中央に向かって折り曲げて、その状態で、第一の側端部１１と第二の側端部１２との下側溶着部１３の付近の下面と、他の袋１の第一の側端部１１と第二の側端部１２と上側溶着部１５ａの付近の上面とを切れ目１４を介して接続して、ロールを構成している。
【００３０】
使用者は、図１４Ｂに示すように、最初の袋１を切れ目１４を介して切断して、袋１の第一の側端部１１と第二の側端部１２とを広げて、更に、袋１の第一の側端部１１と第二の側端部１２とを引っ張ることで、袋１を簡単に広げることが出来る。このような利用形態でも構わない。
【００３１】
ここで、袋１の素材に特に限定は無いが、例えば、ポリオレフィン系樹脂、ポリアミド系樹脂、ポリエステル系樹脂、エチレン−ビニルアルコール共重合体樹脂等を挙げることが得きる。ポリオレフィン系樹脂は、例えば、ポリエチレン、ポリプロピレン、エチレン−酢酸ビニル共重合体等を挙げることが出来る。又、袋１の素材は、通常の合成樹脂に限らず、不用の米糠を原料とした合成樹脂等を採用することが出来る。これにより、袋１に抗菌効果、消臭効果を発揮するよう構成することが出来る。
【００３２】
又、袋１のインフレーションフィルムの種類に特に限定は無いが、例えば、単層フィルムでも良いし、同種又は異種のフィルムを積層した積層フィルムでも構わない。又、袋１のインフレーションフィルムは、金属蒸着等の表面処理が施されていても良いし、印刷処理が施されていても構わない。
【００３３】
又、袋１の本体部１０の長手方向の長さに特に限定は無いが、例えば、２００ｍｍ−１０００ｍｍの範囲内であると好ましい。又、袋１の本体部１０の幅方向の長さに特に限定は無いが、例えば、２００ｍｍ−１０００ｍｍの範囲内であると好ましい。又、本体部１０の厚みに特に限定は無いが、例えば、１μｍ−１０００μｍの範囲内であると好ましい。
【００３４】
又、袋１の第一の側端部１１の第一の長さＬ１と第二の側端部１２の第二の長さＬ２との関係に特に限定は無いが、第一の長さＬ１が第二の長さＬ２と同等でも良いし、異なっていても構わない。第一の長さＬ１は、例えば、５ｍｍ−３０ｍｍの範囲内であると好ましく、１０ｍｍ−２０ｍｍの範囲内であると更に好ましい。第二の長さＬ２も同様であり、５ｍｍ−３０ｍｍの範囲内であると好ましく、１０ｍｍ−２０ｍｍの範囲内であると更に好ましい。
【００３５】
又、袋１の第一の側端部１１の第一の外側折り目１１ａと第一の内側折り目１１ｂとの間の長さに特に限定は無いが、例えば、２０ｍｍ−６０ｍｍの範囲内であると好ましく、３０ｍｍ−５０ｍｍの範囲内であると更に好ましい。又、袋１の第二の側端部１２の第四の外側折り目１１ｃと第二の内側折り目１２ｂとの間の長さも同様であり、２０ｍｍ−６０ｍｍの範囲内であると好ましく、３０ｍｍ−５０ｍｍの範囲内であると更に好ましい。
【００３６】
又、下側溶着部１３の幅方向の長さに特に限定は無いが、例えば、０．２ｍ−５ｍｍの範囲内であると好ましい。
【００３７】
又、開口部１５の上側溶着部１５ａの幅方向の長さに特に限定は無いが、例えば、０．２ｍ−５ｍｍの範囲内であると好ましい。
【００３８】
又、開口部１５の切断部１５ｂの形状に特に限定は無いが、例えば、図７−図８に示すように、直角状に湾曲したコの字状の形状でも良いし、扇状に湾曲したコの字状の形状でも構わない。又、開口部１５の切断部１５ｂの中央付近を凸状にして、手でつまむことが可能な凸状のつまみ部を設けるようにしても構わない。
【００３９】
又、本考案に係る袋１の構成に、更に、他の機能や他のデザインを追加しても構わない。
【産業上の利用可能性】
【００４０】
以上のように、本考案は、スーパーマーケット等で使用される袋として有用であり、インフレーションフィルムであっても、簡単に開封することが可能な袋として有効である。
【符号の説明】
【００４１】
１    袋
１０  本体部
１１  第一の側端部
１２  第二の側端部
１３  下側溶着部
１５  開口部
【図１】
0003231754.tif 000003
【図２】
0003231754.tif 000004
【図３】
0003231754.tif 000005
【図４】
0003231754.tif 000006
【図５】
0003231754.tif 000007
【図６】
0003231754.tif 000008
【図７】
0003231754.tif 000009
【図８】
0003231754.tif 000010
【図９】
0003231754.tif 000011
【図１０】
0003231754.tif 000012
【図１１】
0003231754.tif 000013
【図１２】
0003231754.tif 000014
【図１３】
0003231754.tif 000015
【図１４】
0003231754.tif 000016